(57)【要約】【課題】船舶の外板に取り付けた船外機器が外れても、船舶内部への浸水を防止することができる防水コネクタの取付構造および船外機器の取付構造を提供する。【解決手段】船底外板５に貫通形成された貫通孔１０と、貫通孔１０に配設され、船外機器５１を接続可能な防水コネクタ１１と、貫通孔１０と防水コネクタ１１との間に配設され、貫通孔１０に対し防水コネクタ１１を取り付けるコネクタ台座１２と、を備え、貫通孔１０とコネクタ台座１２との間、およびコネクタ台座１２と防水コネクタ１１との間は、水密に構成されている。【選択図】        図１
2010120611.tif 000002
【特許請求の範囲】
【請求項１】
船舶の外板に貫通形成された貫通孔と、
前記貫通孔に配設され、船外機器を接続可能な防水コネクタと、
前記貫通孔と前記防水コネクタとの間に配設され、前記貫通孔に対し前記防水コネクタを取り付けるコネクタ台座と、を備え、
前記貫通孔と前記コネクタ台座との間、および前記コネクタ台座と前記防水コネクタとの間は、水密に構成されていることを特徴とする防水コネクタの取付構造。
【請求項２】
前記コネクタ台座は、前記外板と同平面に配設されると共に、前記外板に対して没入形成された没入穴を有しており、
前記防水コネクタは、前記防水コネクタの端子部が前記没入穴の底部に配設されていることを特徴とする請求項１に記載の防水コネクタの取付構造。
【請求項３】
請求項１または２のいずれか１項に記載の防水コネクタの取付構造における前記防水コネクタと、
前記防水コネクタに接続可能な船外機器と、を備えたことを特徴とする船外機器の取付構造。
【請求項４】
前記船外機器を被覆する保護カバーをさらに備えたことを特徴とする請求項３に記載の船外機器の取付構造。
【請求項５】
前記保護カバーは、切妻形状に形成されると共に、前記保護カバーの最頂部における延在方向が、前記船舶の船幅方向と同方向となるように配設されていることを特徴とする請求項４に記載の船外機器の取付構造。
【請求項６】
前記保護カバーは、半円筒形状に形成されたカバー本体と、前記カバー本体の一方の端部における開口部を閉塞する端面カバーと、を有し、
前記カバー本体は、その軸方向が前記船舶の船長方向と同方向となるように配設されると共に、前記端面カバーを配設した一方の端部が船首側となるように配設され、
前記端面カバーは、前記外板に対し鋭角に配設されていることを特徴とする請求項４に記載の船外機器の取付構造。
【発明の詳細な説明】
【技術分野】
【０００１】
本発明は、水上または水中を航行する船舶の外板に配設された防水コネクタの取付構造および船外機器の取付構造に関するものである。
【背景技術】
【０００２】
従来、吸水ダクト内に設置された水中カメラを備えたウォータージェット推進船における推進機の監視装置が知られている（例えば、特許文献１参照）。この監視装置における水中カメラの取付構造は、図２から参酌するに、吸水ダクトに貫通孔を形成し、この貫通孔に水中カメラを挿通して取り付けられている。
【０００３】
【特許文献１】特開平１１−１５２０８６号公報
【発明の開示】
【発明が解決しようとする課題】
【０００４】
しかしながら、従来の監視装置のような構成では、水中カメラが吸水ダクト内に突出して配設されるため、水中カメラに負荷が加わり易い。このため、水中カメラに負荷が加わり、水中カメラが貫通孔から外れてしまった場合、この貫通孔を介して船体内部に水が浸入し、船体内部が浸水する虞がある。
【０００５】
そこで、本発明は、船舶の外板に取り付けた船外機器が外れても、船舶内部への浸水を防止することができる防水コネクタの取付構造および船外機器の取付構造を提供することを課題とする。
【課題を解決するための手段】
【０００６】
本発明の防水コネクタの取付構造は、船舶の外板に貫通形成された貫通孔と、貫通孔に配設され、船外機器を接続可能な防水コネクタと、貫通孔と防水コネクタとの間に配設され、貫通孔に対し防水コネクタを取り付けるコネクタ台座と、を備え、貫通孔とコネクタ台座との間、およびコネクタ台座と防水コネクタとの間は、水密に構成されていることを特徴とする。
【０００７】
この場合、コネクタ台座は、外板と同平面に配設されると共に、外板に対して没入形成された没入穴を有しており、防水コネクタは、防水コネクタの端子部が没入穴の底部に配設されていることが、好ましい。
【０００８】
本発明の船外機器の取付構造は、上記の防水コネクタの取付構造における防水コネクタと、防水コネクタに接続可能な船外機器と、を備えたことを特徴とする。
【０００９】
この場合、船外機器を被覆する保護カバーをさらに備えたことが、好ましい。
【００１０】
この場合、保護カバーは、切妻形状に形成されると共に、保護カバーの最頂部における延在方向が、船舶の船幅方向と同方向となるように配設されていることが、好ましい。
【００１１】
この場合、保護カバーは、半円筒形状に形成されたカバー本体と、カバー本体の一方の端部における開口部を閉塞する端面カバーと、を有し、カバー本体は、その軸方向が船舶の船長方向と同方向となるように配設されると共に、端面カバーを配設した一方の端部が船首側となるように配設され、端面カバーは、外板に対し鋭角に配設されていることが、好ましい。
【発明の効果】
【００１２】
請求項１の防水コネクタの取付構造によれば、船舶の外板に防水コネクタを水密に取り付けることができ、また、この防水コネクタに船外機器を接続することができる。このとき、防水コネクタに接続された船外機器が、外板に沿って流れる水流等の負荷により外れてしまった場合、船外機器は、防水コネクタとの接続部分において切り離される。これにより、船外機器が外れてしまっても、防水コネクタは船舶の外板に対し水密に取り付けられているため、船舶内部に水が浸入することはなく、船舶内部への浸水を防止することができる。なお、船舶としては、水上を航行する水上船はもちろん、水中を航行する水中構造物も含む。また、船舶の外板とは、外板に接した水密区画を構成する壁面を含む。このような壁面として、例えば、船舶のシーチェストの内壁面がある。
【００１３】
請求項２の防水コネクタの取付構造によれば、防水コネクタの端子部が没入穴の底部に配設されているため、防水コネクタと船外機器との接続部分は、没入穴の内部に収容される。これにより、防水コネクタと船外機器との接続部分に加わる水流等の負荷を低減することができるため、船外機器は、防水コネクタに対し、外れにくくすることができる。
【００１４】
請求項３の船外機器の取付構造によれば、船外機器を、水密に取り付けられた防水コネクタに接続することができる。これにより、船外機器が外れてしまっても、船舶内部に水が浸入することはなく、船舶内部への浸水を防止することができる。なお、防水コネクタに接続可能な船外機器としては、水中カメラ、水中ライトや加速度センサ等、各種機器が適用可能となっている。
【００１５】
請求項４の船外機器の取付構造によれば、船外機器を被覆する保護カバーを設けることにより、船外機器へ向かってくる衝突物の衝突を防ぐことができ、また、船外機器に加わる水流等の負荷を低減することができる。
【００１６】
請求項５の船外機器の取付構造によれば、保護カバーを切妻形状とすることで、保護カバーを通過する水流を好適に案内することができ、保護カバーを通過した水流の乱れを抑制することができる。
【００１７】
請求項６の船外機器の取付構造によれば、保護カバーを、半円筒形状のカバー本体と、外板に対し鋭角となる端面カバーと、保護カバーを通過する水流を好適に案内することができ、保護カバーを通過した水流の乱れを抑制することができる。
【発明を実施するための最良の形態】
【００１８】
以下、添付した図面を参照して、本発明に係る防水コネクタの取付構造および船外機器の取付構造について説明する。なお、この実施例によりこの発明が限定されるものではない。また、下記実施例における構成要素には、当業者が置換可能かつ容易なもの、或いは実質的に同一のものが含まれる。
【実施例１】
【００１９】
ここで、図１は、実施例１に係る防水コネクタおよび船外機器の取付構造周りを模式的に表した側方断面図であり、図２は、実施例１に係る船外機器の取付構造周りを模式的に表した正面図である。また、図３は、実施例１に係る防水コネクタおよび船外機器の取付構造周りを模式的に表した平面図である。
【００２０】
先ず、図１を参照し、防水コネクタ１１の取付構造１について説明する。この防水コネクタ１１の取付構造１は、船舶内部に水が浸入しないように、船舶の外板に設けられる防水コネクタ１１を水密に取付可能な構造となっている。なお、防水コネクタ１１は、主に船舶の船底部分に複数取り付けられるが、これ以外に、船舶のシーチェストの内壁面に取り付けてもよい。また、船舶としては、水上を航行する水上船のほか、水中を航行する水中構造物も含む。
【００２１】
防水コネクタの取付構造１は、船舶の船底外板５に形成された貫通孔１０と、貫通孔１０に配設される上記の防水コネクタ１１と、貫通孔１０と防水コネクタ１１との間に配設されたコネクタ台座１２とで構成されており、貫通孔１０は、船舶の船底外板５に円形状に貫通形成されている。
【００２２】
防水コネクタ１１は、公知のものであり、凹となるメス側端子部１７と、メス側端子部１７に連なるコネクタケーブル１６とで構成されている。そして、詳細は後述するが、メス側端子部１７近傍のコネクタケーブル１６（いわゆるコネクタケーブル１６の根本部分）は、内側台座部２１に形成された嵌合穴４０ａに嵌合しており、これにより、コネクタケーブル１６の根本部分が固定される。なお、この防水コネクタ１１には、例えば、水中カメラ等の船外機器５１が接続可能となっている。
【００２３】
コネクタ台座１２は、防水コネクタ１１を保持する内側台座部２１と、内側台座部２１を保持する外側台座部２２と、で構成されている。外側台座部２２は、鋼材で構成されると共に円柱形状に形成されており、その外径は、貫通孔１０と嵌合可能なように、貫通孔１０の径と略同径に形成されている。
【００２４】
そして、外側台座部２２は、その船外側端面２２ａが船底外板５と同平面となるように、貫通孔１０に嵌合して配設され、この状態において、外側台座部２２と貫通孔１０とは、溶接等により接合される。これにより、外側台座部２２は船底外板５の内部側に突出して配設され、貫通孔１０と外側台座部２２との間は水密に構成される。
【００２５】
また、外側台座部２２には、その船外側端面２２ａに対し没入して形成された没入穴２５が軸心に設けられる一方、その船内側端面２２ｂに対し没入して形成された収容穴２６が軸心に設けられている。
【００２６】
没入穴２５は、中空円柱状に形成されており、この没入穴２５の底部には、防水コネクタ１１のメス側端子部１５が配設される。そして、この没入穴２５の軸方向における長さは、防水コネクタ１１のメス側端子部１５に接続される後述の延長ケーブル５２のオス側端子部５５を収容可能な長さに形成される。
【００２７】
収容穴２６は、没入穴２５に連通して形成され、中空円柱状に形成されている。そして、この収容穴２６には、内側台座部２１が収容される。また、この収容穴２６の底部には、径方向内側に突出した段部２７が形成されており、この段部２７は、収容穴２６に収容される内側台座部２１の位置決めストッパとして機能する。
【００２８】
内側台座部２１は、外側台座部２２の収容穴２６と相補的形状に形成されており、具体的には、段付の円柱形状に形成されている。つまり、内側台座部２１は、収容穴２６の底部側に収容される細径部３０と、細径部３０よりも太径に形成されると共に収容穴２６の開口側に収容される太径部３１と、で構成されている。また、太径部３１の細径部側端面３１ａの縁部には、環状溝３５が形成されており、この環状溝３５にＯリング３７が収容されている。
【００２９】
また、内側台座部２１には、その軸心に防水コネクタ１１のコネクタケーブル１６を挿通するための挿通孔４０が貫通形成されている。この挿通孔４０は、細径部側に形成された中空円柱形状の嵌合穴４０ａと、太径部側に形成された中空円柱形状の充填穴４０ｂとで構成され、嵌合穴４０ａの径は、充填穴４０ｂの径に比して小径となっている。そして、この挿通孔４０には、コネクタケーブル１６が挿通され、上記したように、嵌合穴４０ａには、コネクタケーブル１６の根本部分が嵌合し、充填穴４０ｂには、コネクタケーブル１６が遊挿される。このとき、充填穴４０ｂとコネクタケーブル１６との間には空隙が生じるが、この空隙にはシリコン樹脂等の充填剤が充填される。これにより、防水コネクタ１１は内側台座部２１に保持され、また、防水コネクタ１１と内側台座部２１との間は水密に構成される。
【００３０】
そして、内側台座部２１を外側台座部２２の収容穴２６に収容すると、収容穴２６の底部側には細径部３０が収容され、収容穴２６の開口側には太径部３１が収容される。そして、太径部３１の細径部側端面３１ａの縁部は、収容穴２６の段部２７に当接する。このとき、外側台座部２２と内側台座部２１との間は、太径部３１の細径部側端面３１ａの縁部に設けられたＯリング３７により水密に構成される。
【００３１】
以上から、貫通孔１０と外側台座部２２との間、外側台座部２２と内側台座部２１との間、および内側台座部２１と防水コネクタ１１との間は、それぞれ水密に構成されるため、船舶内部への浸水を防止することができる。
【００３２】
次に、図１ないし図３を参照し、船外機器５１の取付構造５０について説明する。この船外機器５１の取付構造５０は、船底外板５に水密に取り付けられた防水コネクタ１１に対し、船外機器５１を着脱自在に取付可能な構造となっている。なお、船外機器５１としては、水中カメラ、水中ライトや各種センサ等が適用可能となっている。なお、以下の説明では、船外機器５１として、水中カメラ５１を適用した場合について説明する。
【００３３】
船外機器５１の取付構造５０は、上記の防水コネクタ１１と、一端を防水コネクタ１１に接続した延長ケーブル５２と、延長ケーブル５２の他端に接続された水中カメラ５１と、を備えている。上記したように防水コネクタ１１は、そのメス側端子部１５が没入穴２５の底部に配設されている。延長ケーブル５２は、その一端がオス側端子部５５となっており、その他端がメス側端子部５６となっている。水中カメラ５１は、レンズ等を有すると共に水中を撮影する撮像部６０と、撮像部６０に連なるオス側端子部６１とで構成されている。
【００３４】
従って、防水コネクタ１１のメス側端子部１５には、延長ケーブル５２のオス側端子部５５が接続され、延長ケーブル５２のメス側端子部５６には、水中カメラ５１のオス側端子部６１が接続される。このとき、防水コネクタ１１に接続された延長ケーブル５２のオス側端子部５５は没入穴２５の内部に収容されるため、船底外板５に対しオス側端子部５５が突出することはない。これにより、延長ケーブル５２のオス側端子部５５は、水流等の負荷が加わりにくくなるため、延長ケーブル５２は、防水コネクタ１１に対し外れにくくなる。なお、防水コネクタ１１から延長ケーブル５２を介して水中カメラ５１に至る設置方向は、船幅方向と同方向となっている。
【００３５】
また、船外機器５１の取付構造５０は、水中カメラ５１を設置するための設置プレート７０と、延長ケーブル５２を設置するための設置治具７１と、水中カメラ５１を固定するための固定プレート７２と、水中カメラ５１を被覆する保護カバー７３と、を備えている。
【００３６】
設置プレート７０は、長方形の板状に形成されており、その長手方向が船幅方向と同方向となるように、防水コネクタ１１の近傍に配設されている。そして、この設置プレート７０は、溶接等により船底外板５に接合されている。また、設置プレート７０には、後述する固定プレート７２を固定するための複数の雌ネジが螺刻されている。
【００３７】
固定プレート７２は、設置プレート７０に設置された水中カメラ５１を被覆する被覆部７７と、設置プレート７０にボルト止めされる一対の固定部７８，７８とで一体に形成されている。具体的に、図２に示すように、被覆部７７は、正面視逆Ｕ字状に形成されており、一対の固定部７８，７８は、設置プレート７０に沿って被覆部７７の両端部から船長方向外側に延在して形成されている。
【００３８】
これにより、設置プレート７０に設置された水中カメラ５１を、固定プレート７２の被覆部７７で被覆し、この状態において、固定プレート７２の一対の固定部７８，７８と設置プレート７０とをボルトにより締結することで、水中カメラ５１は設置プレート７０に固定される。なお、設置プレート７０と固定プレート７２とは、ダブルナットで締結されているため、弛みにくくなっている。
【００３９】
設置治具７１は、凹型の取手形状に形成されると共に、設置プレート７０上に配設されており、延長ケーブル５２と設置プレート７０と間に介設される。具体的に、この設置治具７１は、設置プレート７０に立設する一対の柱部８０と、一対の柱部８０に掛け渡されたケーブル設置台８１と、で構成されている。そして、ケーブル設置台８１に設置された延長ケーブル５２は、ケーブル設置台８１と共に結束バンド８２で固定されている。
【００４０】
保護カバー７３は、切妻形状に形成されており、具体的に、長方形の鉄板を、その中心から屈曲させて形成される。そして、保護カバー７３は、船底外板５に対し、凸となるように配設されると共に、その屈曲部分を最頂部８５とし、この最頂部８５の延在方向が船幅方向と同方向となるように配設される。このとき、延在する最頂部８５の直下には、延長ケーブル５２および水中カメラ５１が配設されている。つまり、最頂部８５の延在方向と延長ケーブル５２および水中カメラ５１の設置方向とは一致している。また、最頂部８５を挟んで、保護カバー７３と船底外板５との一対の当接部８６，８６は、溶接等により接合される。
【００４１】
従って、船舶が航行すると、船底外板５に沿って流れる水の流れ方向（水流方向）は船長方向となるため、水流方向は、保護カバー７３の最頂部８５の延在方向に直交する。つまり、船底外板５に沿って流れる水流が保護カバー７３に臨むと、水流は、一方の当接部８６から最頂部８５へ向かって流れ、最頂部８５の通過後、他方の当接部８６へ向かって流れる。このとき、切妻形状に形成された保護カバー７３は、水流を好適に案内することができるため、保護カバー７３を通過した水流の乱れを抑制することができる。
【００４２】
以上の構成によれば、船底外板５に防水コネクタ１１を水密に取り付けることができ、また、この防水コネクタ１１に水中カメラ等の船外機器５１を接続することができる。そして、防水コネクタ１１に接続された水中カメラ５１に負荷が加わっても外れてしまっても、防水コネクタ１１と延長ケーブル５２との接続部分、または延長ケーブル５２と水中カメラ５１との接続部分において切り離されるため、船舶内部に水が浸入することはなく、船舶内部への浸水を防止することができる。
【００４３】
また、防水コネクタ１１のメス側端子部１５が没入穴２５の底部に配設されているため、防水コネクタ１１と延長ケーブル５２との接続部分は、没入穴２５の内部に収容される。これにより、防水コネクタ１１と延長ケーブル５２との接続部分に加わる負荷を低減することができるため、延長ケーブル５２は、防水コネクタ１１に対し、外れにくくすることができる。
【００４４】
さらに、水中カメラ５１および延長ケーブル５２を被覆する保護カバー７３を設けることにより、水中カメラ５１および延長ケーブル５２へ向かってくる衝突物の衝突を防ぐことができる。また、保護カバー７３が切妻形状に形成されることで、保護カバー７３を通過した水流の乱れを抑制することができる。
【実施例２】
【００４５】
次に、図４ないし図６を参照して、実施例２に係る船外機器５１の取付構造１００について説明する。なお、重複した記載を避けるべく、異なる部分についてのみ説明する。図４は、実施例２に係る防水コネクタおよび船外機器の取付構造周りを模式的に表した側方断面図であり、図５は、実施例２に係る船外機器の取付構造周りを模式的に表した正面図である。また、図６は、実施例２に係る防水コネクタおよび船外機器の取付構造周りを模式的に表した平面図である。実施例２の船外機器５１の取付構造１００では、保護カバー１１０が半円筒形状に形成されており、これに伴って、設置プレート１０５の設置面積も実施例１に比して大きくなっている。
【００４６】
具体的に、設置プレート１０５は、長方形の板状に形成されており、その長手方向が船長方向と同方向となるように、コネクタ台座１２を被覆して配設される。そして、設置プレート１０５は、コネクタ台座１２を被覆する部分を円形状に貫通形成した切欠き部１０７が形成され、設置プレート１０５は、溶接等により船底外板５に接合される。また、設置プレート１００には、固定プレート７２を固定するための雌ネジが螺刻されると共に、保護カバー１１０を固定するための雌ネジが螺刻される。
【００４７】
保護カバー１１０は、半円筒形状に形成されたカバー本体１１３と、カバー本体１１３の一方の端面における開口部を閉塞する端面カバー１１４と、カバー本体１１３および端面カバー１１４を設置プレート１０５に固定するためのカバー固定プレート１１５と、で一体に形成されている。
【００４８】
カバー本体１１３は、半円筒形状に形成した一方の端部が、カバー本体１１３の外周面から一方の端部側の軸心へ向けて、鋭角に切り欠かれている。そして、端面カバー１１４は、切り欠かれた一方の端部の開口部を閉塞して配設されている。これにより、端面カバー１１４は、船底外板５に対し鋭角に配設される。カバー固定プレート１１５は、他方の端部側を除くカバー本体１１３の周囲に配設されており、設置プレート１０５に沿って平面視凹状に形成されている。
【００４９】
このように構成された保護カバー１１０は、その本体カバーが船底外板５に対し凸となるように配設され、また、カバー本体１１３の軸方向が船長方向と同方向となるよう配設される。さらに、保護カバー１１０は、船長方向において端面カバー１１４が船首側となるように配設される。そして、カバー本体１１３の内側には、延長ケーブル５２および水中カメラ５１が配設される。つまり、カバー本体１１３の軸心と延長ケーブル５２および水中カメラ５１の設置方向とは一致している。また、設置プレート１０５上に配設された保護カバー１１０は、カバー固定プレート１１５と設置プレート１０５とをボルトにより締結することで、保護カバー１１０は設置プレート１０５に固定される。この場合も、設置プレート７０と保護カバー１１０とは、ダブルナットで締結されているため、弛みにくくなっている。
【００５０】
従って、船舶が航行すると、船底外板５に沿って流れる水の流れ方向（水流方向）は船長方向となるため、水流方向は、保護カバー１１０のカバー本体１１３の軸方向と同方向となる。つまり、船底外板５に沿って流れる水流が保護カバー１１０に臨むと、水流は、端面カバー１１４を通過し、この後、カバー本体１１３を通過する。このとき、端面カバー１１４は鋭角に配設されているため、水流を好適に案内することができ、保護カバー１１０を通過した水流の乱れを抑制することができる。
【００５１】
以上の構成によれば、保護カバー１１０の設置方向（カバー本体１１３の軸方向）を船長方向とすることができるため、水中カメラ５１および延長ケーブル５２の設置方向を船長方向とすることができる。また、端面カバー１１４を船底外板５に対し鋭角に配設することができるため、保護カバー１１０を通過した水流の乱れを抑制することができる。
【００５２】
なお、実施例１および２では、防水コネクタ１１を没入穴２５の底部に配設したが、没入穴２５を形成せずに、防水コネクタ１１のメス側端子部１５を、船底外板５から突出させて配設してもよい。
【産業上の利用可能性】
【００５３】
以上のように、本発明に係る防水コネクタの取付構造および船外機器の取付構造は、船舶の外板に船外機器を取り付ける場合において有用であり、特に、船舶内部への浸水を防止する場合に適している。
【図面の簡単な説明】
【００５４】
【図１】実施例１に係る防水コネクタおよび船外機器の取付構造周りを模式的に表した側方断面図である。
【図２】実施例１に係る船外機器の取付構造周りを模式的に表した正面図である。
【図３】実施例１に係る防水コネクタおよび船外機器の取付構造周りを模式的に表した平面図である。
【図４】実施例２に係る防水コネクタおよび船外機器の取付構造周りを模式的に表した側方断面図である。
【図５】実施例２に係る船外機器の取付構造周りを模式的に表した正面図である。
【図６】実施例２に係る防水コネクタおよび船外機器の取付構造周りを模式的に表した平面図である。
【符号の説明】
【００５５】
１      防水コネクタの取付構造
５      船底外板
１０    貫通孔
１１    防水コネクタ
１２    コネクタ台座
２１    内側台座部
２２    外側台座部
２５    没入穴
３７    Ｏリング
５０    船外機器の取付構造
５１    水中カメラ（船外機器）
５２    延長ケーブル
７０    設置プレート
７１    設置治具
７２    固定プレート
７３    保護カバー
１００  船外機器の取付構造（実施例２）
１０５  設置プレート（実施例２）
１０７  切欠き部
１１０  保護カバー（実施例２）
１１３  カバー本体
１１４  端面カバー
１１５  カバー固定プレート
【図１】
2010120611.tif 000003
【図２】
2010120611.tif 000004
【図３】
2010120611.tif 000005
【図４】
2010120611.tif 000006
【図５】
2010120611.tif 000007
【図６】
2010120611.tif 000008